(57)【要約】【課題】カードを同封して成るダイレクトメールにおいて、ダイレクトメールが受取人によってカードごと捨てられる危険性を少なくする。また、このようなダイレクトメールにおける宛名とカードに記録された情報との不一致を防止して、ご配送を未然に防止する。【解決手段】受取人の宛名が記載された用紙１０の上に、カード２を剥離可能に貼着して成るカード付ダイレクトメールにおいて、上記カード２の貼着面（裏面側）に、受取人ごとに定められた個別情報の少なくとも一部を記録する。また、切断予定線（ミシン目）Ｃで囲まれたカード部１１ｃを有する第１の紙片１１と、該紙片１１に折り線Ｒ１を介して連続する第２の紙片１２を備えた用紙１０を用いて、第１の紙片１１を折り線Ｒ２から折り曲げて第２の紙片１２上に折り重ね、第１の紙片１１のカード部１１ｃのみを第２の紙片１２に剥離可能に貼着した状態で、用紙１０を上記折り線Ｒ１の近傍部で切断し、上記切断予定線Ｃからカード部１１ｃのみを残して第１の紙片１１を切り離す。【選択図】図３
2011121219.tif 000002
【特許請求の範囲】
【請求項１】
受取人の宛名が記載された用紙上に、カードを剥離可能に貼着して成るカード付ダイレクトメールにおいて、
上記カードの貼着面に、受取人ごとに定められた個別情報の少なくとも一部が記録されていることを特徴とするカード付ダイレクトメール。
【請求項２】
切断予定線で囲まれたカード部を有する第１の紙片と、該紙片に折り線を介して連続する第２の紙片を備えた用紙における上記第１の紙片を折り線から第２の紙片上に折り重ね、第１の紙片のカード部のみを第２の紙片に剥離可能に貼着した状態の用紙を上記折り線又はその近傍部で切断すると共に、上記切断予定線からカード部のみを残して第１の紙片を切り離して成ることを特徴とする請求項１に記載のカード付ダイレクトメール。
【請求項３】
上記カードを内側にして宛名の記載部分を視認可能に用紙を折り畳み、周囲に開口する周縁部を剥離可能に貼着したことを特徴とする請求項１又は２に記載のカード付ダイレクトメール。
【発明の詳細な説明】
【技術分野】
【０００１】
本発明は、自社の商品やサービスに関する情報を記載したカタログやパンフレットをダイレクトメールとして、カードと共に、顧客に代表される会社や一般家庭に送付することができるカード付きのダイレクトメールに関するものである。
【背景技術】
【０００２】
上記のようなカタログやパンフレットを顧客を始めとして、一般の会社や個人宛に直接送付する種々のダイレクトメールが自社の宣伝や販売促進に広く利用されているが、近年のインターネットの普及によって、その形態も徐々に変化している。
【０００３】
すなわち、このようなダイレクトメールの宣伝や販売促進効果を高めようとすると、カタログやパンフレットの内容が多くなりがちであり、そうすると印刷コストや配送コストが高くならざるを得ない。
一方、受け取った側では、ダイレクトメールの内容量が多くなると、その整理や保管が煩わしくなって、内容を読むことなくそのまま放置されたり、捨てられてしまったりすることがないとは言えず、コストを掛けた割には効果が上がらないことになり兼ねない。
【０００４】
そこで、ダイレクトメールに、発送側の会社名や電話番号などと共に、ホームぺージのアドレスや顧客管理番号などといった必要最小限の情報を記録したカードを同封しておき、受取側では、カタログやパンフレットは廃棄するにしても、管理や整理が容易なカードの形態で保管し、ホームページの閲覧や商品の発注に際して、カードの記録事項を利用してもらうようにすることが考えられる。また、ダイレクトメールに同封したカードを商品説明会や展示会場への入場券や会員券として、会場に持参してもらい、顧客管理に利用することが考えられる。
【０００５】
カードを送付するための封書フォームとして、例えば特許文献１には、カードが封書内で動き回ることによって封書が破損されることを防止するために、封書内にカード保持部を設けて、当該保持部にカードを分離可能に保持するようになすことが提案されている。
また、特許文献２には、折り部を境にして複数の封書用紙片が連接して成る封書用フォームにおいて、折り部から折り畳んだ際に内面側に位置する面における通知情報記入部と返信情報記入部を除く部分にカードを剥離可能に貼着することが開示されている。そして、特許文献３には、少なくとも２箇所で基材を折り曲げて圧着した一体型封書における内面に位置するシート基材の一部をカード大にくり抜いて、この部分にカードを接着する提案がなされている。
【先行技術文献】
【特許文献】
【０００６】
【特許文献１】特開２００３−２８５８４５号公報
【特許文献２】特開平０９−２０２０７１号公報
【特許文献３】特開２００１−３１５７９４号公報
【発明の概要】
【発明が解決しようとする課題】
【０００７】
ところで、受取人による上記したようなカードの利用方法を期待するには、カードをダイレクトメール書類と共にそのまま廃棄することなく、少なくともカードを取り出してもらうことが必要である。そのための方策としては、カードの裏面側、すなわち受け取った状態では視認できない面に、例えば、抽選番号などのような興味を惹く個別情報を記録しておき、用紙からカードを剥がしてみたくなるような動機付けをすることが考えられる。
【０００８】
ここで、上記した特許文献１に記載されたカード送付体においては、送付先の宛名（送付先情報）を記載した封書の本体部分と、カードとが別の行程で作製されているので、カードの両面にそれぞれ任意の情報を記載することができ、裏面側にも宛名によって異なる個別情報を記載することが可能である。しかし、カードの保持部への挿入を手作業で行っていることから、両者のマッチングの確認作業が煩わしいばかりでなく、入れ間違えた場合には誤配が発生することになる。
一方、上記特許文献２あるいは３に記載のカード付き封書においては、カードを貼着した状態で、用紙の印刷とカードへの印刷とを同時に行うことによって、宛名とカードに記録された情報とを一致させることができるものの、カードへの印刷は、カードの表面側のみに限定されることから、カードの裏面側、すなわち紙片への貼着面に個別情報を印刷することはできない。
【０００９】
本発明は、カードを同封した従来の封書における上記課題に着目してなされたものであって、用紙上に剥離可能に貼着されたカードを備えたダイレクトメールにおいて、当該ダイレクトメールが受取人によってカードごと捨てられる危険性を少なくすることができるカード付ダイレクトメール、さらには、このようなダイレクトメールにおいて宛名とカードに記録された情報との不一致を防止することができるカード付ダイレクトメールを提供することを目的とする。
【課題を解決するための手段】
【００１０】
本発明のカード付ダイレクトメールは、受取人の宛名が記載された用紙上に、カードを剥離可能に貼着して成るものであって、上記カードの貼着面に、受取人ごとに定められた個別情報の少なくとも一部が記録されていることを特徴とする。
また、上記カード付ダイレクトメールは、切断予定線で囲まれたカード部を有する第１の紙片と、該紙片に折り線を介して連続する第２の紙片を備えた用紙における上記第１の紙片を折り線から第２の紙片上に折り重ね、第１の紙片のカード部のみを第２の紙片に剥離可能に貼着した状態の用紙を上記折り線又はその近傍部で切断すると共に、上記切断予定線からカード部のみを残して第１の紙片を切り離して成ることを特徴とする。
【発明の効果】
【００１１】
本発明のカード付ダイレクトメールは、受取人の宛名が記載された用紙上に、カードを剥離可能に貼着して成るものであって、上記カードの裏面側、すなわち貼着面に、受取人ごとに定められた個別情報の少なくとも一部が記録されており、個別情報として、例えば抽選番号など、受取人の興味を惹く情報を記録しておくことによって、カードがダイレクトメールと共に捨てられてしまう危険性を低いものとすることができる。
そして、切断予定線で囲まれたカード部を有する第１の紙片と、該紙片に折り線を介して連続する第２の紙片を備えた用紙を用い、その第１の紙片を折り線から第２の紙片上に折り重ね、第１の紙片のカード部のみを第２の紙片に剥離可能に貼着した状態で、当該用紙を上記折り線又はその近傍部で切断すると共に、上記切断予定線からカード部のみを残して第１の紙片を切り離すようになすことによって、カード部の表裏の記録と用紙上への宛名の記録を同一工程内で連続して行うことができ、両者の記録内容を一致させることができ、当該カード付ダイレクトメールの誤配を防止することができる。
【図面の簡単な説明】
【００１２】
【図１】本発明の第１の実施例に用いた用紙の形状を示す平面図（ａ）及びその背面図（ｂ）である。
【図２】図１に示した用紙を用いたカード付ダイレクトメールの製造行程における第１の過程を説明する斜視図である。
【図３】（ａ）〜（ｃ）は図２に続くカード付ダイレクトメールの製造過程の説明図である。
【図４】本発明の第２の実施例に用いた用紙の形状を示す平面図（ａ）及びその背面図（ｂ）である。
【図５】本発明の第３の実施例に用いた用紙の形状を示す平面図（ａ）及びその背面図（ｂ）である。
【図６】図５に示した用紙を用いたカード付ダイレクトメールの製造過程における平面図（ａ）及びその背面図（ｂ）である。
【図７】（ａ）及び（ｂ）は図６に続くカード付ダイレクトメールの製造過程の説明図である。
【発明を実施するための形態】
【００１３】
以下、本発明のカード付ダイレクトメールについて、その製造方法などと共に、さらに詳細に説明する。
【００１４】
本発明のカード付ダイレクトメールは、上記したように、受取人の宛名が記載された用紙上に、カードが剥離可能に貼着されていると共に、当該カードの裏面側、すなわち用紙への貼着面に、受取人ごとに定められた個別情報の少なくとも一部が記録されたものである。
【００１５】
ここで、上記カードは、受取人側における発注や取引管理に利用される他、上記のような商品説明会や展示会場、見本市などへの入場券、駐車券、会員券、呈茶券、食事券、記念品引換券などとして利用することができるが、カードの種類に特に限定はない。
このような各種用途のカードへの記録事項としては、用途に応じた種々のものが考えられ、特に限定されるものではないが、発送人の社名、電話番号、ホームページアドレス、担当者の氏名、電話番号、ｅ−メールアドレス、受取人、すなわち顧客あるいは顧客候補者の氏名、住所、誕生日、顧客管理番号、バーコード、抽選番号、などを挙げることができる。
【００１６】
これらのうち、受取人ごとに定められた個別情報としては、受取人の氏名、住所、誕生日、顧客管理番号、バーコード、抽選番号がこれに相当する。
なお、発送人の社名、電話番号、ホームページアドレスについては、一度に発送するダイレクトメールの中では共通であり、一般には個別情報とは言えないが、商品分野によって担当の電話番号やホームページアドレスが異なる場合には、全ダイレクトメール共通しないことから、個別情報に相当する。担当者の氏名、電話番号、ｅ−メールアドレスについても、全てに共通でない限り、個別情報に相当することは同様である。
【００１７】
また、カードを食事券や記念品引換券として利用する場合、食事のメニューや記念品の種類を複数用意し、受取人ごとに種類を変えることによって、くじ引きのような楽しみを盛り込むことも可能である。また、食事や記念品の種類について、受取人の年齢や性別などに応じて最適なものをあらかじめ割り当てるようにすることもでき、この場合には、これらの記録内容は個別情報に相当することになる。
そして、本発明のカード付ダイレクトメールにおいては、受取人によって異なるこれら個別情報の任意のものが少なくとも一つ、カードの裏面側、すなわち用紙への貼着面に記録されている。もちろん、少なくとも一つの個別情報が貼着面に記録されている限り、他の個別情報を表面側に記録することは何ら差し支えない。
【００１８】
このようなカード付ダイレクトメールは、用紙の所定箇所に、用紙とは別行程で製造し、所望の情報をその表面、あるいは裏面にそれぞれ記録したカードを剥離可能に貼着することによっても得ることができる。しかし、この場合には、用紙とカードを取り違えるミスが生じる可能性があり、用紙に記載した宛名とカードに記録した個別情報とが一致しないと、誤配事故が発生する結果となる。
【００１９】
そこで、本発明のカード付ダイレクトメールを製造するに際しては、カードとなるカード部を備えた紙片と、宛名を記載する紙片とが連続する１枚の用紙を用い、宛名の記載とカードへの個別情報の記録とを実質的に同時に、すなわち同一工程内で連続して行うことが望ましい。
【００２０】
例えば、切断予定線で囲まれたカード部を有する第１の紙片と、この第１の紙片に折り線を介して連続する第２の紙片を一体的に備えた用紙を用い、当該用紙の第１の紙片を折り線から第２の紙片上に折り重ね、第１の紙片のカード部のみを第２の紙片に剥離可能に貼着する。そして、この状態の用紙を上記した折り線あるいは折り線の近傍部で切断すると共に、第２の紙片から切断された第１に紙片を上記切断予定線からカード部のみを残して切り離すことによって、本発明のカード付ダイレクトメールを得ることができる。
これによれば、個別情報を含むカードへの記録と用紙上への宛名の記録を同一工程内で連続して行うことができ、両者の記録内容を一致させて、宛名を記載した用紙とカードとの取り違えをなくし、これに起因するダイレクトメールの誤配を未然に防止することができる。
【００２１】
本発明のカード付ダイレクトメールは、例えば、用紙の宛名記載部分が外部から見えるようにした窓枠付き封筒に入れた状態で配送することができる。
また、宛名が記載され、カードを剥離可能に貼着した用紙を、カードが内側になり、且つ宛名の記載部分を視認可能となるように折り畳み、折り畳み状態で周囲に開口する周縁部を剥離可能に貼着することによって、封筒が不要な一体型折り畳み封書として、配送することも可能である。
【実施例】
【００２２】
以下、本発明を実施例に基づいて、より具体的に説明する。なお、本発明は、これらの実施例に限定されないことは言うまでもない。
【００２３】
（実施例１）
まず、大型用紙に印刷を施し、一旦貼着した後にも剥離可能な低強度の接着剤を所定箇所に塗布した後、所定箇所にミシン目を形成すると共に、所定サイズに裁断することによって、図１に示すようなダイレクトメール用紙を作製した。
すなわち、図１（ａ）及び（ｂ）に示す用紙１０は、折り線Ｒ１を介して連続する第１の紙片１１と第２の紙片１２から成り、折り線Ｒ１からの折り畳みを容易なものとするために、当該折り線Ｒ１に重ねてミシン目が形成されている。
【００２４】
用紙１０の表面側には、図１（ａ）に示すように、第１の紙片１１の図中左側上方に、切断予定線としてのミシン目Ｃが枠状に形成されており、このミシン目Ｃによる枠内には、カード２のフォームが印刷され、カード部１１ｃとなっている。
ミシン目Ｃから切り離すことによってカード２となるカード部１１ｃの表面側には、当該カード２が、例えば、商品展示会への入場整理券であることの表示と共に、ダイレクトメール発送人の名称（会社名）、展示会の開催日時、会場への案内図などが記録されている。
【００２５】
第２の紙片１２の表側紙面１２ａには、例えば商品の説明や、展示会の趣旨・内容、会場への案内図などが記載されることになる。
【００２６】
一方、図１（ｂ）は、上記用紙１０の裏面側を示すものであって、第１の紙片１１の裏側紙面１１ｂの図中右側上方のカード部１１ｃに相当する位置には、枠状のミシン目Ｃの内側にカード２の裏面側フォームが印刷されている。そして、ここには、ホームページのアドレスと共に、ダイレクトメールの受取人ごとに定められた個別情報として、例えば、顧客管理番号、バーコード、抽選番号と共に、受取人の氏名などが記録されている。
【００２７】
第２の紙片１２の裏側紙面１２ｂには、折り線Ｒ１に対して上記カード部１１ｃと対称な位置に、剥離可能な低強度接着剤Ａが塗布されている。また、接着剤の塗布領域の近傍、例えば下側には、カードの裏面側に抽選番号が記録されていること、抽選の方法や賞品の内容などをカードの裏面に記載されたホームページにアクセスすることによって知ることができることなどが記載されている。
なお、上記接着剤としては、一旦貼着した後に、適度な力でカードや用紙を破損することなく剥がすことができる程度の接着強度を有するものであれば、特に限定はなく、公知の接着剤を使用することができる。
【００２８】
そして、第２の紙片１２の紙面１２ｂにおける図中左側は、当該ダイレクトメールの受取人の宛名書き欄であって、ここには受取人の住所、氏名、郵便番号、すなわち宛名３が記載されている。
この宛名３とカード部１１ｃの記録とは、連続する１枚の用紙１０を用いて、実質的に同時、すなわち同一工程内で連続して行われているため、両記録内容を完全に一致させることができ、受取人とカードの記録内容との相違、つまり誤配送が生ずる危険性を完全に回避することができる。
【００２９】
上記用紙１０は、図２に示すように、裏面側を内側にして折り線Ｒ１で折り畳まれ、第２紙片１２の紙面１２ｂ上に、第１紙片１１が重ねられる。そして、折り重ねた状態の用紙２０を圧着することによって、第１紙片１１のカード部１１ｃのみが接着剤Ａを介して第２紙片１２に剥離可能に貼着される。
【００３０】
次に、図３（ａ）に示すように、折り重ねられ、部分的に貼着された状態の用紙１０を折り線Ｒ１の近傍位置で切断線Ｄに沿って裁断したのち、図３（ｂ）に示すように、第１紙片１１の貼着されていない部分をつまみ上げ、貼着されたカード部１１ｃのみを第２紙片１２上に残して、ミシン目Ｃから第１紙片１１を切り離す。
このとき、折り線Ｒ１には、上記したようにミシン目が重ねて形成されているので、このミシン目を利用して、折り線Ｒ１の近傍部で裁断することなく、第１紙片１１と第２紙片１２を切り離すようにしてもよい。
【００３１】
これによって、図３（ｃ）に示すように、受取人の宛名３が記載された用紙１０の上に、受取人ごとに定められた個別情報を貼着面側に記録したカード２を剥離可能に貼着して成るカード付ダイレクトメール１が完成する。
このようにして得られたダイレクトメール１は、受取人の宛名３が外から見えるように窓状の開口部を備えた封筒に入れた状態で配送される。
【００３２】
（実施例２）
上記実施例においては、用紙１０が最終的に第２紙片１２の１枚のみとなることから、商品に関する記事の量が必ずしも十分とは言えないことがある。そこで、より大型の用紙を用いることによって、ページ数を増すことも可能である。
図４は、そのような用紙の一例を示すものであって、第１〜４の紙片から成るものであるが、さらに紙片数を増すことができることは言うまでまない。
【００３３】
図４（ａ）及び（ｂ）は、上記用紙の表面及び裏面側をそれぞれ示すものであって、上記同様に、印刷−接着剤Ａの塗布−ミシン目形成−裁断の行程を経て作製される。
すなわち、図４（ａ）及び（ｂ）に示す用紙１０は、折り線Ｒ１を介して連続する第１の紙片１１と第２の紙片１２に加えて、第２の紙片１２に折り線Ｒ２を介して連続する第３の紙片１３と、当該紙片１３に折り線Ｒ３を介して連続する第４の紙片１４を一体的に備えたものである。
【００３４】
当該用紙１０は、第１の紙片１１にカード部１１ｃを有すると共に、カード部１１ｃに対応する第２の紙片１２の所定位置に低強度接着剤Ａが塗布されており、紙片数が多いこと以外は、第１実施例で用いた用紙と実質的な相違はなく、カード部１１ｃへの記録事項も上記実施例と実質的に同様である。
第３及び第４の紙片１３，１４の紙面１３ａ，１３ｂ、１４ａ，１４ｂには、商品に関する種々の説明や情報を自由なレイアウトで記載することができる。
【００３５】
上記用紙１０は、上記実施例と同様に、裏面側を内側にして折り線Ｒ１で折り畳まれ、第１紙片１１が第２紙片１２の裏側紙面１２ｂ上に重ねられる。そして、折り重ねた状態の用紙２０を圧着することによって、第１紙片１１のカード部１１ｃのみが接着剤Ａを介して第２紙片１２に剥離可能に貼着される。
次に、図３（ａ）と同様の要領で、用紙１０を折り線Ｒ１の近傍位置で裁断したのち、第１紙片１１の非貼着部分をつまみ上げ、第２紙片１２上に貼着されたカード部１１ｃのみを残して、ミシン目Ｃから第１紙片１１を切り離す。
【００３６】
こののち、カード２を剥離可能に貼着され、連続する３枚の紙片１２，１３及び１４から成る用紙１０は、折り線Ｒ２及びＲ３から、宛名３の記載がある第２の紙片の紙面１２ｂが外側になるように巻き折りあるいはＺ字状に折り畳まれ、窓開き封筒に入れた状態で配送される。
【００３７】
（実施例３）
上記実施例１，２においては、窓開き封筒を用いて配送する例を示したが、封筒一体型の折り畳み封書とすることによって、封筒を用いることなく、ダイレクトメールを低コストに発送することも可能である。
図５は、このような封筒一体型ダイレクトメールの用紙の一例を示し、第１〜４の紙片から成るものであるが、さらに紙片数を増すことができることは言うまでもない。
【００３８】
図５（ａ）及び（ｂ）は、上記した用紙の表面及び裏面側をそれぞれ示すものであって、上記実施例２と同様に、折り線Ｒ１〜Ｒ３を介して連続する４枚の紙片、すなわち第１〜第４の紙片１１〜１４を一体的に備え、上記実施例と同様に、印刷−接着剤塗布−ミシン目形成−裁断の行程を経て作製されている。
なお、当該用紙１０における第１の紙片１１及び第２の紙片は、構造及び印刷内容についても、カード部１１ｃへの記録内容においても、基本的に上記実施例と変わるところはないので、同一符号を付すことによって説明を省略することとする。
【００３９】
一方、図５（ａ）に示すように、第３の紙片１３の紙面１３ａの左右両端縁と、第４の紙片１４の紙面１４ａの左右両端縁及び下端縁には、第２の紙片１２の紙面１２ｂに塗布したものと同様の低強度接着剤Ａが塗布されている。
そして、第４の紙片１４には、後述するように当該紙片１４を第２紙片１２の裏側紙面１２ｂ上に折り重ねたときに、紙面１２ｂに記載された宛名３が見えるようにするために、窓状の開口部Ｗが対応する位置に形成されており、この開口部Ｗの周縁部にも低強度接着剤Ａが塗布されている。
【００４０】
上記用紙１０は、上記実施例と同様に、裏面側を内側にして折り線Ｒ１で折り畳まれ、第１紙片１１を第２紙片１２の裏紙面１２ｂ上に重ねた状態で圧着され、これによって、第１紙片１１のカード部１１ｃのみが接着剤Ａによって第２紙片１２に剥離可能に貼着される。
そして、同様に、用紙１０は折り線Ｒ１の近傍位置で裁断され、第１紙片１１が第２紙片１２上に貼着されたカード部１１ｃのみを残して、ミシン目Ｃから切り離される。
【００４１】
図６（ａ）は、この状態を示し、３枚の紙片が連続する用紙１０における図中上端の第２紙面１２に宛名３が記載されると共に、カード２が剥離可能に貼着されていることになる。
図６（ｂ）は、上記用紙１０を裏返すと共に、天地を逆転した状態を示すものである。この状態において、図中下側の第２紙片１２を折り線Ｒ２から折り畳み、第３紙片１３の紙面１３ａ上に折り重ねる。これによって、図７（ａ）に示す状態となる。
【００４２】
図７（ａ）において、図中上方に位置する第４紙片１４を折り線Ｒ３によって折り曲げ、当該紙片１４を第２紙片１２の紙面１２ｂ上に折り重ねる。
そして、このように３つ折りされた用紙１０を圧着することによって、各紙片の周縁部が互いに剥離可能に貼着されると共に、開口部Ｗの周縁部が紙片１２に剥離可能に貼着され、図７（ｂ）に示すように、カード付ダイレクトメール５が完成する。
【符号の説明】
【００４３】
１、５  カード付ダイレクトメール
２  カード
３  宛名
１０  用紙
１１  第１の紙片
１１ｃ  カード部
１２  第２の紙片
Ｃ  切断予定線（ミシン目）
Ｒ１  折り線
【図１】
2011121219.tif 000003
【図２】
2011121219.tif 000004
【図３】
2011121219.tif 000005
【図４】
2011121219.tif 000006
【図５】
2011121219.tif 000007
【図６】
2011121219.tif 000008
【図７】
2011121219.tif 000009